(57)【要約】【課題】加入者側光回線終端装置の動作を標準の規格に準拠させたうえで、局側光回線終端装置が複数の加入者側光回線終端装置から受信する登録要求信号の衝突が発生する頻度の低減を図る。【解決手段】局側光回線終端装置と、局側光回線終端装置と光通信路経由で接続される加入者側光回線終端装置とを備える光通信システムにおいて、局側光回線終端装置について、局側光回線終端装置からの登録要求送信制御信号の送信と、登録要求送信制御信号の受信に応答して未登録の加入者側光回線終端装置から送信された登録要求信号の受信とによる登録通信シーケンスごとに、予め定めた第１段階から第Ｎ段階までの大きさの異なる光信号出力パワーにより、１段階ずつ光信号出力パワーを大きくしながら登録要求送信制御信号を送信する信号送信制御部を備えて構成する。【選択図】図５
2015082779.tif 000002
【特許請求の範囲】
【請求項１】
局側光回線終端装置と、前記局側光回線終端装置と光通信路経由で接続される加入者側光回線終端装置とを備え、
前記局側光回線終端装置は、
前記局側光回線終端装置から加入者側光回線終端装置への登録要求送信制御信号の送信と、登録要求送信制御信号の受信に応答して未登録の加入者側光回線終端装置から送信された局側光回線終端装置への登録を要求する登録要求信号の受信とによる登録通信シーケンスごとに、予め定めた第１段階から第Ｎ（Ｎは２以上の自然数）段階までの大きさの異なる光信号出力パワーにより、１段階ずつ光信号出力パワーを大きくしながら登録要求送信制御信号を送信する信号送信制御部を備える
光通信システム。
【請求項２】
局側光回線終端装置と、前記局側光回線終端装置と光通信路経由で接続される加入者側光回線終端装置とを備える光通信システムにおける信号送信制御方法であって、
前記局側光回線終端装置は、
前記局側光回線終端装置から加入者側光回線終端装置への登録要求送信制御信号の送信と、登録要求送信制御信号の受信に応答して未登録の加入者側光回線終端装置から送信された局側光回線終端装置への登録を要求する登録要求信号の受信とによる登録通信シーケンスごとに、予め定めた第１段階から第Ｎ（Ｎは２以上の自然数）段階までの大きさの異なる光信号出力パワーにより、１段階ずつ光信号出力パワーを大きくしながら登録要求送信制御信号を送信する信号送信制御ステップを備える
信号送信制御方法。
【請求項３】
加入者側光回線終端装置と光通信路経由で接続される局側光回線終端装置であって、
前記局側光回線終端装置から加入者側光回線終端装置への登録要求送信制御信号の送信と、登録要求送信制御信号の受信に応答して未登録の加入者側光回線終端装置から送信された局側光回線終端装置への登録を要求する登録要求信号の受信とによる登録通信シーケンスごとに、予め定めた第１段階から第Ｎ（Ｎは２以上の自然数）段階までの大きさの異なる光信号出力パワーにより、１段階ずつ光信号出力パワーを大きくしながら登録要求送信制御信号を送信する信号送信制御部を備える
局側光回線終端装置。
【発明の詳細な説明】
【技術分野】
【０００１】
本発明は、光通信システム、信号送信制御方法及び局側光回線終端装置に関する。
【背景技術】
【０００２】
アクセス網形態の１つとして、ＰＯＮ（Passive Optical Network）が知られている。ＰＯＮは、通信事業者側に設置されるＯＬＴ（Optical Line Terminal：局側光回線終端装置）と、加入者側に設置されるＯＮＵ（Optical Network Unit：加入者側光回線終端装置）との間での通信において、光−電気変換を行わずに受動素子であるスプリッタを用いで光信号を複数に分岐するようにされたアクセス網形態である。このようなＰＯＮでは、一心の光ファイバーを複数ユーザで共有することができるため、経済的なネットワークを構築できる。
【０００３】
ＰＯＮのうち、ＯＬＴとＯＮＵとがイーサネット（登録商標、以下同様）フレームにより通信を行うものについては、ＥＰＯＮ（Ｅｔｈｅｒｎｅｔ（登録商標、以下同様）  ＰＯＮ）と呼ばれる。
【０００４】
ＥＰＯＮのうち、伝送速度が１ＧｂｐｓであるＧＥ−ＰＯＮ（Gigabit Ethernet PON）は、高速かつ安価なＦＴＴＨ（Fiber To The Home：光ファイバーを伝送路として加入者宅へ直接引き込む、アクセス系光通信網の構成方式）サービスを提供することができる。このため、ＧＥ−ＰＯＮは、特に国内では広く用いられている。最近では、伝送速度を１０Ｇｂｐｓに高速化した１０Ｇ−ＥＰＯＮの標準仕様が検討されている。
【０００５】
また、近年では、ＰＯＮ用光リピータの検討が進められ、標準規格を拡張して、分岐数を増大することが可能となった。具体的には、これまでのＰＯＮでは光信号強度の制約から３２分岐以下で使われることが多かったのに対し、１０００分岐などの多分岐接続が可能となった。
一般に、ＰＯＮにおいては、ＯＬＴからＯＮＵへの通信の方向を下り方向と呼び、ＯＮＵからＯＬＴへの通信の方向を上り方向と呼ぶ。
【０００６】
ＥＰＯＮをはじめとする多くのＰＯＮでは、上り方向の通信は時分割多元接続によって行われる。ＯＬＴにより、それぞれのＯＮＵの送信タイミングを制御することで、複数のＯＮＵがＯＬＴと時分割通信できるようにしている。１０Ｇ−ＥＰＯＮの上り方向の通信も同様に時分割多元接続により行われる。１０Ｇ−ＥＰＯＮでは、１台のＯＬＴに、上り伝送速度が異なる複数のＯＮＵが接続できる方式が検討されている。このとき、異なる速度のＯＮＵとの間であっても、時分割多元接続により上り方向の通信を実現する。
【０００７】
上り方向の通信が時分割多元接続によって行われる多くのＰＯＮでは、上り方向の通信の帯域を効率的に使用するために、それぞれのＯＮＵについての上り方向の通信を許可する帯域を、通信の状況に応じて動的に変更するという動的帯域割り当て機能を備えている。
ここで、ＰＯＮにおけるＯＮＵごとの帯域は、例えばＯＬＴが各ＯＮＵに対して送信許可量を算出し、その送信時間帯を排他的に確保することにより、割り当てることができる。ＯＮＵはＯＬＴによって割り当てられた時間帯にのみ上り方向の信号を送信する。このため、割り当てられた時間帯を待つための待ち時間は伝送遅延時間に加算される。
【０００８】
ＥＰＯＮには、ＭＰＣＰ（Multi Point-Control Protocol）と呼ばれる、１つのＯＬＴが複数のＯＮＵの通信を制御するためのプロトコルが標準で定められている。ＭＰＣＰとしては、未登録のＯＮＵを検出するためのDiscovery Processingと、ＯＮＵが送信する上り方向の信号の送信タイミングを制御するためのREPORT Processing・GATE Processingとが知られている。
【０００９】
ＥＰＯＮでは、ＯＮＵがＰＯＮに接続されると、ＯＬＴはそのＯＮＵを発見し、ＯＮＵにＬＬＩＤ（Logical Link ID）を付与して通信リンクを自動的に確立する。この機能をＰ２ＭＰディスカバリ（Point to multi-point Discovery）と呼ぶ。ＭＰＣＰのDiscovery Processingは、Ｐ２ＭＰディスカバリを実現するためのプロトコルである。
【００１０】
図７のシーケンス図は、Discovery ProcessingとしてのＰ２ＭＰディスカバリ処理における通信手順を示している。
Discovery Processingにおいて、先ず、ＯＬＴは、Discovery Informationを格納したＧＡＴＥフレームであるＤｉｓｃｏｖｅｒｙ  ＧＡＴＥフレームを各ＯＮＵに対して送信して、送信タイミングを通知する（ステップＳ１）。
ＧＡＴＥフレームは、ＯＮＵに送信タイミングなどの送信に関する制御情報を通知するフレームであり、Ｄｉｓｃｏｖｅｒｙ  ＧＡＴＥフレームは、ＲＥＧＩＳＴＥＲ＿ＲＥＱフレームの送信タイミングなどを示す制御情報を未登録のＯＮＵに対して通知するフレームである。ＧＡＴＥフレームは、Messages sent on broadcast cannelを用いて送信される。
【００１１】
次に、ＯＬＴに未登録のＯＮＵは、Ｄｉｓｃｏｖｅｒｙ  ＧＡＴＥフレームを受信すると、衝突回避のためランダム待ち時間（Random delay）ＴＲを待機した後、ＲＥＧＩＳＴＥＲ＿ＲＥＱフレームを送信する（ステップＳ２）。ＲＥＧＩＳＴＥＲ＿ＲＥＱフレームは、Messages sent on broadcast cannelを用いて送信される。ＯＬＴは、ＯＮＵからのＲＥＧＩＳＴＥＲ＿ＲＥＱフレームを受信する可能性のある時間だけＤｉｓｃｏｖｅｒｙ  Ｗｉｎｄｏｗを設定し、設定したＤｉｓｃｏｖｅｒｙ  Ｗｉｎｄｏｗの期間において未登録の各ＯＮＵからのＲＥＧＩＳＴＥＲ＿ＲＥＱフレームを受信する。
【００１２】
次に、ＯＬＴはＲＥＧＩＳＴＥＲ＿ＲＥＱフレームの受信に応じて、ＲＥＧＩＳＴＥＲ＿ＲＥＱフレームの送信元であるＯＮＵ（またはＵＮＩポート）の識別子であるＬＬＩＤを新規に登録する。そのうえで、ＲＥＧＩＳＴＥＲフレームにより、登録したＬＬＩＤを通知する（ステップＳ３）。ＲＥＧＩＳＴＥＲフレームは、Messages sent on broadcast cannelを用いて送信される。
このようにＯＬＴからＯＮＵに対してＬＬＩＤが通知されることにより、ＯＬＴとＯＮＵとがＬＬＩＤを利用して通信を実行可能になる。つまり、ＯＬＴとＯＮＵとの間でのリンクが確立される。
【００１３】
続いて、ＯＬＴは、ＧＡＴＥフレームにより上り方向の送信タイミングを通知し（ステップＳ４）、ＯＮＵは通知されたタイミングに従ってＲＥＧＩＳＴＥＲ＿ＡＣＫを返す（ステップＳ５）。
上記ステップＳ１〜Ｓ５の各処理により、Ｐ２ＭＰディスカバリ処理が実現されている。このＧＡＴＥフレームと、ＲＥＧＩＳＴＥＲ＿ＡＣＫは、Messages sent on unicast cannelsを用いて送信される。
このようにＯＬＴとＯＮＵの間でDiscovery Processingとしての通信が実行される（例えば、非特許文献１参照）。
【００１４】
図８のタイミングチャートは、Ｐ２ＭＰディスカバリ処理におけるＤｉｓｃｏｖｅｒｙ  ＧＡＴＥフレームとＲＥＧＩＳＴＥＲ＿ＲＥＱフレームの送受信タイミング例を示している。なお、図７との対応では、図８に示されるＤｉｓｃｏｖｅｒｙ  ＧＡＴＥフレームの送受信はステップＳ１に対応し、ＲＥＧＩＳＴＥＲ＿ＲＥＱフレームの送受信はステップＳ２に対応する。
また、同図に示されるＯＮＵ２００−ｋ、ＯＮＵ２００−ｎは、それぞれ、複数のＯＮＵのうちの１つを示している。図８の説明にあたり、ＯＮＵ２００−ｋ、ＯＮＵ２００−ｎを含む複数のＯＮＵについて特に区別しない場合には、ＯＮＵ２００と記載する。
【００１５】
図８において、先ず、ＯＬＴ１００は、時刻ｔ０においてＤｉｓｃｏｖｅｒｙ  ＧＡＴＥフレームをブロードキャストにより、各ＯＮＵ２００に対して送信する。上記のように送信されるＤｉｓｃｏｖｅｒｙ  ＧＡＴＥフレームは、ランダム待ち時間ＴＲと、ランダム待ち時間ＴＲの開始時刻ｔ１とを指定する情報を制御情報として含む。なお、同図に示すランダム待ち時間ＴＲの期間は、ランダム待ち時間ＴＲとしての最長時間を示している。
【００１６】
未登録のＯＮＵ２００はＤｉｓｃｏｖｅｒｙ  ＧＡＴＥフレームの受信に応答して、Ｄｉｓｃｏｖｅｒｙ  ＧＡＴＥフレームにより指定されたランダム待ち時間ＴＲ内にＲＥＧＩＳＴＥＲ＿ＲＥＱフレームを送信する。ＯＮＵ２００−ｎの通信距離を、許容範囲における最長の通信距離とすると、同図に示す期間ＴＤ０が図８に示すＤｉｓｃｏｖｅｒｙ  Ｗｉｎｄｏｗとなる。期間ＴＤ０の開始タイミングは、ＯＬＴ１００における開始時刻ｔ１であり、期間ＴＤ０の終了タイミングは、ＯＮＵ２００−ｎにおけるランダム待ち時間ＴＲの最長時間の終了時刻からＯＬＴ１００までの伝搬時間に応じて遅延した時刻である。即ち、期間ＴＤ０は、ＯＮＵ２００からＲＥＧＩＳＴＥＲ＿ＲＥＱフレームが到着する可能性のある期間を示す。
【００１７】
Ｄｉｓｃｏｖｅｒｙ  Ｗｉｎｄｏｗの期間ＴＤ０は、ＯＬＴ１００がＤｉｓｃｏｖｅｒｙ  ＧＡＴＥフレームを送信するタイミングに基づいて設定する。Ｄｉｓｃｏｖｅｒｙ  Ｗｉｎｄｏｗは、未登録のＯＮＵ２００からのＲＥＧＩＳＴＥＲ＿ＲＥＱフレームを優先して受け付ける期間である。
Ｄｉｓｃｏｖｅｒｙ  Ｗｉｎｄｏｗの期間ＴＤ０においては、登録済のＯＮＵがＯＬＴに対して上り方向の送信を行わないように、ＯＬＴが制御を実行する。
ＥＰＯＮの上り方向の通信については、ＯＬＴが各ＯＮＵの上り方向の送信データ量を算出し、算出した送信データ量を通知することにより、ＯＮＵごとに送信時間を確保させるように帯域制御を実行する。Ｄｉｓｃｏｖｅｒｙ  Ｗｉｎｄｏｗの期間は、未登録のＯＮＵからのＲＥＧＩＳＴＥＲ＿ＲＥＱフレームが受信される期間である。そこで、Ｄｉｓｃｏｖｅｒｙ  Ｗｉｎｄｏｗの期間において、ＯＬＴは、登録済みのＯＮＵによる上り方向の送信が行われないように帯域制御を実行する。これにより、登録済のＯＮＵから送信される信号と、未登録のＯＮＵから送信されるＲＥＧＩＳＴＥＲ＿ＲＥＱフレームとの衝突を回避することができる。
【先行技術文献】
【非特許文献】
【００１８】
【非特許文献１】IEEE std 802.3-2012 SECTION FIVE
【発明の概要】
【発明が解決しようとする課題】
【００１９】
Ｐ２ＭＰディスカバリ処理のシーケンスにおいて、ＲＥＧＩＳＴＥＲ＿ＲＥＱフレームの衝突が生じた場合、衝突したＲＥＧＩＳＴＥＲ＿ＲＥＱフレームは廃棄される。この場合、廃棄されたＲＥＧＩＳＴＥＲ＿ＲＥＱフレームの送信元のＯＮＵについてはＰ２ＭＰディスカバリのシーケンスは完了せず、ＯＬＴとのリンクが確立しない。
この場合、衝突したＲＥＧＩＳＴＥＲ＿ＲＥＱフレームの送信元のＯＮＵは、次回のＰ２ＭＰディスカバリ処理により再度登録処理を行う必要がある。
特に、ランダム待ち時間ＴＲが短い場合や、リンクを確立すべき未登録のＯＮＵ数が多い場合には衝突が発生する頻度が高くなり、Ｐ２ＭＰディスカバリ処理が完了してＯＮＵが通信を開始できるまでに長い時間を要する場合がある。
【００２０】
通信システムにおいて、一般には、リンクの確立から通信開始までの時間が短いほど、また、また、遅延時間が短いほど通信性能が高い。
ＥＰＯＮにおいてＰ２ＭＰディスカバリ処理が実行される間隔は、０．１〜１．５ｓｅｃほどと長い。このために、Ｐ２ＭＰディスカバリ処理について１度のリトライが生じるだけでも遅延への影響は大きい。さらに、システム起動時などのように多数のＯＮＵと同時にＰ２ＭＰディスカバリ処理を実行する場合には、ＲＥＧＩＳＴＥＲ＿ＲＥＱフレームの信号が衝突する頻度が増大する。このような状態では、２回以上のリトライとなる場合もあり遅延がさらに拡大する。
【００２１】
本発明は、このような事情に鑑みてなされたもので、加入者側光回線終端装置の動作を標準の規格に準拠させたうえで、局側光回線終端装置が複数の加入者側光回線終端装置から受信する登録要求信号の衝突が発生する頻度の低減を図ることを目的とする。
【課題を解決するための手段】
【００２２】
本発明の一態様は、局側光回線終端装置と、前記局側光回線終端装置と光通信路経由で接続される加入者側光回線終端装置とを備え、前記局側光回線終端装置は、前記局側光回線終端装置から加入者側光回線終端装置への登録要求送信制御信号の送信と、登録要求送信制御信号の受信に応答して未登録の加入者側光回線終端装置から送信された局側光回線終端装置への登録を要求する登録要求信号の受信とによる登録通信シーケンスごとに、予め定めた第１段階から第Ｎ（Ｎは２以上の自然数）段階までの大きさの異なる光信号出力パワーにより、１段階ずつ光信号出力パワーを大きくしながら登録要求送信制御信号を送信する信号送信制御部を備える光通信システムである。
【００２３】
本発明の一態様は、局側光回線終端装置と、前記局側光回線終端装置と光通信路経由で接続される加入者側光回線終端装置とを備える光通信システムにおける信号送信制御方法であって、前記局側光回線終端装置から加入者側光回線終端装置への登録要求送信制御信号の送信と、登録要求送信制御信号の受信に応答して未登録の加入者側光回線終端装置から送信された局側光回線終端装置への登録を要求する登録要求信号の受信とによる登録通信シーケンスごとに、予め定めた第１段階から第Ｎ（Ｎは２以上の自然数）段階までの大きさの異なる光信号出力パワーにより、１段階ずつ光信号出力パワーを大きくしながら登録要求送信制御信号を送信する信号送信制御ステップを備える信号送信制御方法である。
【００２４】
本発明の一態様は、前記局側光回線終端装置から加入者側光回線終端装置への登録要求送信制御信号の送信と、登録要求送信制御信号の受信に応答して未登録の加入者側光回線終端装置から送信された局側光回線終端装置への登録を要求する登録要求信号の受信とによる登録通信シーケンスごとに、予め定めた第１段階から第Ｎ（Ｎは２以上の自然数）段階までの大きさの異なる光信号出力パワーにより、１段階ずつ光信号出力パワーを大きくしながら登録要求送信制御信号を送信する信号送信制御部を備える局側光回線終端装置である。
【発明の効果】
【００２５】
以上説明したように、本発明によれば、加入者側光回線終端装置の動作を標準の規格に準拠させたうえで、局側光回線終端装置が複数の加入者側光回線終端装置から受信する登録要求信号の衝突が発生する頻度の低減が図られるという効果が得られる。
【図面の簡単な説明】
【００２６】
【図１】本実施形態における光通信システムの構成例を示す図である。
【図２】本実施形態において定められる光信号出力パワーの一例を示す図である。
【図３】本実施形態におけるＰ２ＭＰディスカバリ処理において、第１段階光信号出力パワーによるＤｉｓｃｏｖｅｒｙ  ＧＡＴＥフレームの送信に応じたＲＥＧＩＳＴＥＲ＿ＲＥＱフレームの送受信タイミングの一例を示す図である。
【図４】本実施形態におけるＰ２ＭＰディスカバリ処理において、第４段階光信号出力パワーによるＤｉｓｃｏｖｅｒｙ  ＧＡＴＥフレームの送信に応じたＲＥＧＩＳＴＥＲ＿ＲＥＱフレームの送受信タイミングの一例を示す図である。
【図５】本実施形態におけるＯＬＴの構成例を示す図である。
【図６】本実施形態におけるＯＬＴがＤｉｓｃｏｖｅｒｙ  ＧＡＴＥフレームの送信に関連して実行する処理手順例を示すフローチャートである。
【図７】Ｐ２ＭＰディスカバリ処理における通信手順例を示すシーケンス図である。
【図８】Ｐ２ＭＰディスカバリ処理におけるＤｉｓｃｏｖｅｒｙ  ＧＡＴＥフレームとＲＥＧＩＳＴＥＲ＿ＲＥＱフレームの送受信タイミングの一例を示す図である。
【発明を実施するための形態】
【００２７】
図１は本実施形態における光通信システムの構成例を示している。同図に示す光通信システムは、例えば１０Ｇ−ＥＰＯＮに対応する。
同図に示す光通信システムは、１つのＯＬＴ（Optical Line Terminal：局側光回線終端装置）１００と複数のＯＮＵ（Optical Network Unit：加入者側光回線終端装置）２００−１〜２００−ｎとが光通信路５００を介して接続される。光通信路５００は光スプリッタや光ファイバーなどを備えて形成される。
なお、以降の説明において、ＯＮＵ２００−１〜２００−ｎについて特に区別しない場合には、ＯＮＵ２００と記載する。
【００２８】
ＯＬＴ１００は、通信事業者側に設置される光回線終端装置である。ＯＬＴ１００の上流に対しては上位ネットワーク３００が接続される。上位ネットワーク３００は、例えばインターネット上などに存在する各種のサーバなどを含む。
ＯＬＴ１００は、例えば上位ネットワーク３００と光通信路５００との間の通信において、電気信号と光信号との間での信号変換を行ったり、信号の多重化などを行ったりする。
【００２９】
ＯＮＵ２００は、加入者側に設置される光回線終端装置である。ＯＮＵ２００（２００−１〜２００−ｎ）の下流側には、下位ネットワーク４００（４００−１〜４００−Ｎ）が接続される。下位ネットワーク４００には、例えば加入者の自宅などで使用されるパーソナルコンピュータなどをはじめとしたネットワーク機器が含まれる。
【００３０】
上記のように構成される光通信システムにおいて、ＯＬＴ１００側で未登録のＯＮＵ２００は、ＯＬＴ１００とのリンクが確立されないためにＯＬＴ１００と通信を行うことができない。そこで、ＯＬＴ１００に未登録のＯＮＵ２００については、ＯＬＴ１００とのリンクを確立して通信が可能な状態とする必要がある。
このために、ＯＬＴ１００と未登録のＯＮＵ２００との間では、図７に示した手順によるＰ２ＭＰディスカバリ処理を実行する。
【００３１】
標準の規格下でのＯＬＴ１００は、図７のステップＳ１においてＤｉｓｃｏｖｅｒｙ  ＧＡＴＥフレームを、光通信路５００経由で接続される全てのＯＮＵ２００に対してブロードキャストにより送信する。図７のステップＳ２においてＲＥＧＩＳＴＥＲ＿ＲＥＱフレームが正常に送受信された場合、ＯＬＴ１００とＯＮＵ２００は、図７のステップＳ３以降の処理を実行する。
【００３２】
ＯＮＵ２００は、ＲＥＧＩＳＴＥＲ＿ＲＥＱフレームを送信する際、図８にて説明したように、衝突回避のために、ランダム待ち時間ＴＲだけ待機してからＲＥＧＩＳＴＥＲ＿ＲＥＱフレームを送信するようにしている。しかし、ランダム待ち時間ＴＲによる衝突回避は万全なものではなく、ＯＬＴ１００において複数のＲＥＧＩＳＴＥＲ＿ＲＥＱフレームの受信期間が重複し、ＲＥＧＩＳＴＥＲ＿ＲＥＱフレームが衝突する可能性がある。特に、ランダム待ち時間ＴＲが短い場合や未登録のＯＮＵ２００が多数であるような場合には、衝突の発生する頻度が高くなる。
図８では、ＯＮＵ２００−ｋが送信したＲＥＧＩＳＴＥＲ＿ＲＥＱフレーム（Ｒ１）とＯＮＵ２００−ｎが送信したＲＥＧＩＳＴＥＲ＿ＲＥＱフレーム（Ｒ２）とが衝突している例が示されている。
【００３３】
ＲＥＧＩＳＴＥＲ＿ＲＥＱフレームに衝突が発生した場合、その衝突部分の信号については十分な信頼性が確保できないために破棄している。このようにＲＥＧＩＳＴＥＲ＿ＲＥＱフレームが破棄された場合、衝突したＲＥＧＩＳＴＥＲ＿ＲＥＱフレームの送信元のＯＮＵ２００はＯＬＴ１００に登録されないために、次回のＰ２ＭＰディスカバリ処理においてリトライのための通信が実行される。このようなリトライが通信時間の遅延を招き、例えば光通信システムにおける通信性能劣化の要因となる。
【００３４】
そこで、本実施形態においては、ＯＬＴ１００について以下のように構成することで、ＲＥＧＩＳＴＥＲ＿ＲＥＱフレームの衝突が発生する頻度の低減を図る。
本実施形態におけるＯＬＴ１００は、Ｄｉｓｃｏｖｅｒｙ  ＧＡＴＥフレームを送信するにあたり、複数の異なる光信号出力パワーが段階的に設定される。そのうえで、ＯＬＴ１００は、上記のように設定された複数の異なる光信号出力パワーごとに対応して複数回のＤｉｓｃｏｖｅｒｙ  ＧＡＴＥフレームの送信を行う。
【００３５】
図２は、ＯＬＴ１００における複数の異なる光信号出力パワーについての規定例を示している。同図においては、第１段階光信号出力パワーから第４段階光信号出力パワーによる４段階の光信号出力パワーを定めた場合の例が示されている。
第１段階光信号出力パワーは、最大光信号出力パワーに対して−２５ｄＢの光信号出力パワーである。第２段階光信号出力パワーは、最大光信号出力パワーに対して−１５ｄＢの光信号出力パワーである。第３段階光信号出力パワーは、最大光信号出力パワーに対して−５ｄＢの光信号出力パワーである。第４段階光信号出力パワーは、最大光信号出力パワーである。このように、第１段階から第４段階の順で光信号出力パワーは大きくなっていく。
【００３６】
なお、図２に例示した光信号出力パワーの規定内容はあくまでも一例である。つまり、光信号出力パワーについては４段階以外の段階数により定められてよく、また、各段階における光信号出力パワーの値についても適宜変更されてよい。
光信号出力パワーの段階数及び各段階における光信号出力パワーの値は、例えば、ＯＮＵの数やＯＮＵの距離分布などに基づいて設定することができる。
【００３７】
そして、ＯＬＴ１００は、未登録のＯＮＵ２００を登録してリンクを確立させるための１回分の登録処理として、以下のように、光信号出力パワーの段階数に応じた回数によるＤｉｓｃｏｖｅｒｙ  ＧＡＴＥフレームの送信を実行する。
ＯＬＴ１００は、１回目の図７のステップＳ１の処理として、例えば図２のように設定された光信号出力パワーのうち、最も小さい第１段階光信号出力パワーを設定してＤｉｓｃｏｖｅｒｙ  ＧＡＴＥフレームを送信する。
【００３８】
ＯＬＴ１００の最大光信号出力パワーの最大値は、例えば、ＯＬＴ１００と光通信路５００経由で接続されているＯＮＵ２００のうち、最も遠距離にあるＯＮＵ２００と通信が可能となるように定められている。
従って、最大値の−２５ｄＢの第１段階光信号出力パワーにより送信された光信号は、光通信路５００経由で接続されている全てのＯＮＵ２００には到達せずに、或る一定の距離範囲内のＯＮＵ２００にのみ到達する。
この場合、図７のステップＳ２として示すように、第１段階光信号出力パワーにより送信されたＤｉｓｃｏｖｅｒｙ  ＧＡＴＥフレームの受信に応答してＲＥＧＩＳＴＥＲ＿ＲＥＱフレームを送信することのできるＯＮＵ２００は、全ての未登録のＯＮＵ２００ではなく、第１段階光信号出力パワーに応じた一定の距離範囲内にある未登録のＯＮＵ２００のみとなる。
【００３９】
図３は、第１段階光信号出力パワーによりＤｉｓｃｏｖｅｒｙ  ＧＡＴＥフレーム（登録要求送信制御信号）を送信した場合のＲＥＧＩＳＴＥＲ＿ＲＥＱフレーム（登録要求信号）の送信結果例を示している。同図において、ＯＮＵ２００−ｋは、第１段階光信号出力パワーによる光信号が到達する距離範囲内に位置している。一方、ＯＮＵ２００−ｎは、第１段階光信号出力パワーによる光信号が到達しない距離に位置している。
【００４０】
この場合、第１段階光信号出力パワーにより送信されたＤｉｓｃｏｖｅｒｙ  ＧＡＴＥフレームは、ＯＮＵ２００−ｋにおいては受信されるが、ＯＮＵ２００−ｎにおいては受信されない。
このために、同図に示すように、ＯＮＵ２００−ｋはＲＥＧＩＳＴＥＲ＿ＲＥＱフレーム（Ｒ１）をＯＬＴ１００に対して送信するが、ＯＮＵ２００−ｎは、ＲＥＧＩＳＴＥＲ＿ＲＥＱフレームを送信しない。
なお、図３においては、Ｄｉｓｃｏｖｅｒｙ  ＷｉｎｄｏｗについてＯＮＵ２００−ｎから送信されるＲＥＧＩＳＴＥＲ＿ＲＥＱフレームが受信可能な期間も含めて設定している。しかし、例えば第１段階光信号出力パワーにより光信号が到達可能な距離範囲に対応させて、より短いＤｉｓｃｏｖｅｒｙ  Ｗｉｎｄｏｗの期間を設定してもよい。
【００４１】
このように、第１段階光信号出力パワーによりＤｉｓｃｏｖｅｒｙ  ＧＡＴＥフレームが送信されることによっては、第１段階光信号出力パワーに対応する距離範囲内にある未登録のＯＮＵ２００のみからＲＥＧＩＳＴＥＲ＿ＲＥＱフレームが送信される。つまり、全ての未登録のＯＮＵ２００のうちの一部のみのＯＮＵ２００からＲＥＧＩＳＴＥＲ＿ＲＥＱフレームが送信される。
これにより、ＯＬＴ１００にてＲＥＧＩＳＴＥＲ＿ＲＥＱフレームが衝突する頻度を、例えば図８のように全ての未登録のＯＮＵ２００が一度にＲＥＧＩＳＴＥＲ＿ＲＥＱフレームを送信する場合と比較して著しく低くすることができる。
【００４２】
ＯＬＴ１００は、正常に受信したＲＥＧＩＳＴＥＲ＿ＲＥＱフレームごとに対応して、ＲＥＧＩＳＴＥＲ＿ＲＥＱフレームの送信元のＯＮＵ２００ごとにＬＬＩＤを登録し、図７のステップＳ３として示すように、登録したＬＬＩＤをＯＮＵ２００ごとに通知する。また、ステップＳ３の処理の完了とともに、ＯＬＴ１００とＯＮＵ２００との間でステップＳ４、Ｓ５によるＧＡＴＥフレームの送受信とＲＥＧＩＳＴＥＲ＿ＡＣＫの送受信が実行される。
【００４３】
次に、ＯＬＴ１００は、２回目の図７のステップＳ１として、第１段階光信号出力パワーの次に大きい第２段階光信号出力パワーを設定してＤｉｓｃｏｖｅｒｙ  ＧＡＴＥフレームの送信を実行する。
このように第２段階光信号出力パワーにより送信されたＤｉｓｃｏｖｅｒｙ  ＧＡＴＥフレームは、第２段階光信号出力パワーによる光信号が到達できる距離範囲内のＯＮＵ２００にて受信される。
【００４４】
ここで、第２段階光信号出力パワーによる光信号が到達できる距離範囲は、第１段階光信号出力パワーによる光信号が到達できる距離範囲を含む。しかし、第１段階光信号出力パワーによる光信号が到達できる距離範囲にあった未登録のＯＮＵ２００は、先の第１段階光信号出力パワーにより送信されたＤｉｓｃｏｖｅｒｙ  ＧＡＴＥフレームの受信に応答してＲＥＧＩＳＴＥＲ＿ＲＥＱフレームを送信したことより登録済みとなっている。
従って、第２段階光信号出力パワーにより送信されたＤｉｓｃｏｖｅｒｙ  ＧＡＴＥフレームの受信に応答して、図７のステップＳ２によりＲＥＧＩＳＴＥＲ＿ＲＥＱフレームを送信してくるＯＮＵ２００は、第２段階光信号出力パワーによる光信号が到達できる距離範囲から第１段階光信号出力パワーによる光信号が到達できる距離範囲内にある未登録のＯＮＵ２００である。
【００４５】
このように、第２段階光信号出力パワーによるＤｉｓｃｏｖｅｒｙ  ＧＡＴＥフレームが送信されることによっては、第２段階光信号出力パワーに応じて限定された所定の距離範囲内にある未登録のＯＮＵ２００のみがＲＥＧＩＳＴＥＲ＿ＲＥＱフレームを送信する。
この場合にも、ＯＬＴ１００がＤｉｓｃｏｖｅｒｙ  Ｗｉｎｄｏｗの期間内に受信するＲＥＧＩＳＴＥＲ＿ＲＥＱフレームの数は、全ての未登録のＯＮＵ２００がＲＥＧＩＳＴＥＲ＿ＲＥＱフレームを送信する場合と比較して少なくなる。従って、ＲＥＧＩＳＴＥＲ＿ＲＥＱフレームが衝突する頻度も低くすることができる。
【００４６】
ＯＬＴ１００は、第２段階光信号出力パワーによるＤｉｓｃｏｖｅｒｙ  ＧＡＴＥフレームの送信に応答してＯＮＵ２００から送信されたＲＥＧＩＳＴＥＲ＿ＲＥＱフレームを受信するのに応じて、ＯＮＵ２００の登録処理と図７のステップＳ３としてのＬＬＩＤの通知を行う。この後、ＯＬＴ１００と新規登録されたＯＮＵ２００は、ステップＳ４、Ｓ５としてのＯＬＴ１００とＯＮＵ２００との間でステップＳ４、Ｓ５によるＧＡＴＥフレームの送受信とＲＥＧＩＳＴＥＲ＿ＡＣＫの送受信とを実行する。
【００４７】
続いて、ＯＬＴ１００は、３回目のステップＳ１として、第２段階光信号出力パワーの次に値の大きい第３段階光信号出力パワーを設定してＤｉｓｃｏｖｅｒｙ  ＧＡＴＥフレームの送信を実行する。
【００４８】
第３段階光信号出力パワーによる光信号が到達できる距離範囲は、第２段階光信号出力パワーによる光信号が到達できる距離範囲を含む。第２段階光信号出力パワーによる光信号が到達できる距離範囲にあった未登録のＯＮＵ２００は、先の第１段階光信号出力パワーもしくは第２段階光信号出力パワーにより送信されたＤｉｓｃｏｖｅｒｙ  ＧＡＴＥフレームの受信に応答してＲＥＧＩＳＴＥＲ＿ＲＥＱフレームを送信したことより登録済みとなっている。
従って、第３段階光信号出力パワーにより送信されたＤｉｓｃｏｖｅｒｙ  ＧＡＴＥフレームの受信に応答して、図７のステップＳ２によりＲＥＧＩＳＴＥＲ＿ＲＥＱフレームを送信してくるＯＮＵ２００は、第３段階光信号出力パワーによる光信号が到達できる距離範囲から第２段階光信号出力パワーによる光信号が到達できる距離範囲を除いた距離範囲内にある未登録のＯＮＵ２００である。
【００４９】
このように、第３段階光信号出力パワーによるＤｉｓｃｏｖｅｒｙ  ＧＡＴＥフレームが送信されることによっても、第３段階光信号出力パワーに応じて限定された所定の距離範囲内にある未登録のＯＮＵ２００のみがＲＥＧＩＳＴＥＲ＿ＲＥＱフレームを送信する。これにより、全ての未登録のＯＮＵ２００がＲＥＧＩＳＴＥＲ＿ＲＥＱフレームを送信する場合と比較して、ＲＥＧＩＳＴＥＲ＿ＲＥＱフレームが衝突する頻度を低くすることができる。
【００５０】
ＯＬＴ１００は、第３段階光信号出力パワーによるＤｉｓｃｏｖｅｒｙ  ＧＡＴＥフレームの送信に応答してＲＥＧＩＳＴＥＲ＿ＲＥＱフレームを受信するのに応じて、ＯＮＵ２００の登録処理と図７のステップＳ３としてのＬＬＩＤの通知を行う。この後、ＯＬＴ１００と新規登録されたＯＮＵ２００は、ステップＳ４、Ｓ５としてのＯＬＴ１００とＯＮＵ２００との間でステップＳ４、Ｓ５によるＧＡＴＥフレームの送受信とＲＥＧＩＳＴＥＲ＿ＡＣＫの送受信とを実行する。
【００５１】
次に、ＯＬＴ１００は、４回目のステップＳ１として、最大値である第４段階光信号出力パワーを設定してＤｉｓｃｏｖｅｒｙ  ＧＡＴＥフレームの送信を実行する。
第４段階光信号出力パワーによる光信号は、例えば光通信路５００経由で接続されるＯＮＵ２００のうちで最も遠い距離のＯＮＵ２００にまで到達できる。第４段階光信号出力パワーにより送信されたＤｉｓｃｏｖｅｒｙ  ＧＡＴＥフレームの受信に応答して、図７のステップＳ２によりＲＥＧＩＳＴＥＲ＿ＲＥＱフレームを送信してくる未登録のＯＮＵ２００は、第４段階光信号出力パワーによる光信号が到達できる距離範囲から第３段階光信号出力パワーによる光信号が到達できる距離範囲を除いた距離範囲内に位置している。
【００５２】
図４は、第４段階光信号出力パワーによりＤｉｓｃｏｖｅｒｙ  ＧＡＴＥフレーム（登録要求送信制御信号）を送信した場合のＲＥＧＩＳＴＥＲ＿ＲＥＱフレーム（登録要求信号）の送信結果例を示している。
同図において、ＯＮＵ２００−ｋは、第１段階光信号出力パワーから第３段階光信号出力パワーまでのいずれかによる光信号が到達する距離範囲内に位置している。一方、ＯＮＵ２００−ｎは、第３段階光信号出力パワーまでは光信号が到達せず、第４段階光信号出力パワーによりはじめて光信号が到達する距離に位置している。
【００５３】
この場合、第４段階光信号出力パワーにより送信されたＤｉｓｃｏｖｅｒｙ  ＧＡＴＥフレームは、ＯＮＵ２００−ｋにおいても受信される。しかし、ＯＮＵ２００−ｋは、先に第１乃至第３段階光信号出力パワーのいずれかにより送信されたＤｉｓｃｏｖｅｒｙ  ＧＡＴＥフレームに応じて登録済みとなっていることから、この段階ではＲＥＧＩＳＴＥＲ＿ＲＥＱフレームは送信しない。
一方、ＯＮＵ２００−ｎは、第４段階光信号出力パワーによるＤｉｓｃｏｖｅｒｙ  ＧＡＴＥフレームが送信されることにより、はじめてＤｉｓｃｏｖｅｒｙ  ＧＡＴＥフレームを受信する。このとき、ＯＮＵ２００−ｎは未登録の状態である。このため、ＯＮＵ２００−ｎは、今回のＤｉｓｃｏｖｅｒｙ  ＧＡＴＥフレームの受信に応答して、ＲＥＧＩＳＴＥＲ＿ＲＥＱフレーム（Ｒ２）を送信する。
【００５４】
このように、第４段階光信号出力パワーによるＤｉｓｃｏｖｅｒｙ  ＧＡＴＥフレームが送信されることによっては、第４段階光信号出力パワーに応じた距離範囲から第３段階光信号出力パワーに応じた距離範囲を除いた限定的な距離範囲に位置する未登録のＯＮＵ２００のみがＲＥＧＩＳＴＥＲ＿ＲＥＱフレームを送信する。
これにより、全ての未登録のＯＮＵ２００がＲＥＧＩＳＴＥＲ＿ＲＥＱフレームを送信する場合と比較して、ＲＥＧＩＳＴＥＲ＿ＲＥＱフレームが衝突する頻度を低くすることができる。
【００５５】
ＯＬＴ１００は、第４段階光信号出力パワーによるＤｉｓｃｏｖｅｒｙ  ＧＡＴＥフレームの送信に応答してＯＮＵ２００から送信されたＲＥＧＩＳＴＥＲ＿ＲＥＱフレームを受信するのに応じて、ＯＮＵ２００の登録処理と図７のステップＳ３としてのＬＬＩＤの通知を行う。この後、ＯＬＴ１００と新規登録されたＯＮＵ２００は、ステップＳ４、Ｓ５としてのＯＬＴ１００とＯＮＵ２００との間でステップＳ４、Ｓ５によるＧＡＴＥフレームの送受信とＲＥＧＩＳＴＥＲ＿ＡＣＫの送受信とを実行する。
【００５６】
このように、本実施形態のＯＬＴ１００は、光通信路５００経由で接続される全ての未登録のＯＮＵ２００を登録するための登録処理として、図７に示すステップＳ１乃至Ｓ５のシーケンスを、光信号出力パワーの段階数に応じた回数により繰り返し実行する。そのうえで、ＯＬＴ１００は、図７に示すステップＳ１乃至Ｓ５のシーケンスの回数ごとのステップＳ１において、光信号出力パワーを段階的に大きくしていくように変更しながらＤｉｓｃｏｖｅｒｙ  ＧＡＴＥフレームを送信する。
このような処理によって、未登録のＯＮＵ２００によるＲＥＧＩＳＴＥＲ＿ＲＥＱフレームの送信が光信号出力パワーの段階数に応じた回数による登録処理のシーケンスごとに分散され、各登録処理のシーケンスにおいてＯＬＴが受信するＲＥＧＩＳＴＥＲ＿ＲＥＱフレームの数も削減される。
これにより、本実施形態においては、ＯＬＴ１００にて受信されるＲＥＧＩＳＴＥＲ＿ＲＥＱフレームの衝突の発生する頻度を低減し、リトライによる通信性能の劣化を有効に抑制することが可能になる。この結果、全ての未登録のＯＮＵ２００から送信されたＲＥＧＩＳＴＥＲ＿ＲＥＱフレームのＯＬＴ１００側での正常受信が完了するまでの時間が短縮される。つまり、全ての未登録のＯＮＵ２００が登録要求処理を完了するまでの時間が短縮され、通信品質の劣化を抑制することができる。
【００５７】
図５を参照して、本実施形態のＯＬＴ１００の構成例について説明する。同図に示すＯＬＴ１００は、波長合分波器１０１、光受信部１０２、通信制御部１０３、光送信部１０４及び光信号出力パワー変更部１０５を備える。
【００５８】
本実施形態の光通信システムは、上り方向と下り方向の各光信号に異なる波長を割り当てることにより１心の光ファイバーにより上り方向と下り方向の各光信号を同時に送受信する波長分割多重方式を採る。このような構成に応じて、本実施形態のＯＬＴ１００は波長合分波器１０１を備える。波長合分波器１０１は、上り方向と下り方向の各光信号の波長に対応する波長フィルタを備えて構成される。
【００５９】
波長合分波器１０１は、光ファイバーにより伝送される光信号から上り方向の光信号に対応する波長を分離することによって、ＯＮＵ２００から送信された光信号を抽出して光受信部１０２に出力する。
また、波長合分波器１０１は、光送信部１０４から光信号出力パワー変更部１０５を介して出力された下り方向に対応する波長を有する光信号を光ファイバーにより伝送される光信号に合成し、ＯＮＵ２００に送信する。
【００６０】
光受信部１０２は、波長合分波器１０１から入力した光信号をデータ信号に復調して通信制御部１０３に出力する。
通信制御部１０３は、ＯＮＵ２００との通信及び上位ネットワーク３００との通信に関する制御を実行する。
光送信部１０４は、通信制御部１０３から出力された送信信号を入力し、下り方向に対応する波長を有する光信号に変換し、変換した光信号を光信号出力パワー変更部１０５から波長合分波器１０１に供給してＯＮＵ２００に送信する。
【００６１】
光信号出力パワー変更部１０５は、通信制御部１０３における信号送信制御部１３２の制御に応じて、光送信部１０４が出力した光信号の出力パワー（光信号出力パワー）を変更する。光信号出力パワー変更部１０５には、例えば可変光アッテネータを用いることができる。
【００６２】
次に、同じ図５を参照して、通信制御部１０３におけるＤｉｓｃｏｖｅｒｙ  ＧＡＴＥフレームの送信に対応する構成例について説明する。同図に示す通信制御部１０３は、Ｄｉｓｃｏｖｅｒｙ  ＧＡＴＥフレームの送信に対応して登録要求送信制御信号生成部１３１と信号送信制御部１３２とを備える。
【００６３】
登録要求送信制御信号生成部１３１は、登録要求送信制御信号としてのＤｉｓｃｏｖｅｒｙ  ＧＡＴＥフレームを生成する。
【００６４】
信号送信制御部１３２は、ＯＬＴ１００からＯＮＵ２００へのＤｉｓｃｏｖｅｒｙ  ＧＡＴＥフレーム（登録要求送信制御信号）の送信と、Ｄｉｓｃｏｖｅｒｙ  ＧＡＴＥフレームの受信に応答して未登録のＯＮＵ２００から送信されたＯＬＴ１００への登録を要求するＲＥＧＩＳＴＥＲ＿ＲＥＱフレーム（登録要求信号）の受信とによるシーケンス（登録通信シーケンスの一例）ごとに以下の制御を実行する。つまり、信号送信制御部１３２は、予め定めた第１段階から第４段階までの大きさの異なる光信号出力パワーにより、１段階ずつ光信号出力パワーを大きくしながらＤｉｓｃｏｖｅｒｙ  ＧＡＴＥフレームを送信する。
【００６５】
つまり、信号送信制御部１３２は、図２を参照して説明したように、Ｄｉｓｃｏｖｅｒｙ  ＧＡＴＥフレームを送信する際に用いる光信号出力パワーとして、それぞれ異なる複数の段階ごとに応じた光信号出力パワーの値を予め定めておく。
そのうえで、信号送信制御部１３２は、図３及び図４にて説明したように、光信号出力パワーの段階数に応じた回数ごとに、光信号出力パワーの小さい順から大きい順に従って順次光信号出力パワーを変更してＤｉｓｃｏｖｅｒｙ  ＧＡＴＥフレームを送信する。
【００６６】
同図における信号送信制御部１３２は、光信号出力パワーを変更するにあたり、光信号出力パワー変更部１０５に光信号出力パワーを指示する。光信号出力パワー変更部１０５は指示された光信号出力パワーを設定する。
信号送信制御部１３２は、上記のように光信号出力パワー変更部１０５に光信号出力パワーを設定したうえで、登録要求送信制御信号生成部１３１が生成したＤｉｓｃｏｖｅｒｙ  ＧＡＴＥフレームを光送信部１０４に出力する。光送信部１０４は、入力したＤｉｓｃｏｖｅｒｙ  ＧＡＴＥフレームを光信号に変換して光信号出力パワー変更部１０５に出力する。光信号出力パワー変更部１０５は、光送信部１０４から出力されたＤｉｓｃｏｖｅｒｙ  ＧＡＴＥフレームの光信号を、信号送信制御部１３２により設定された光信号出力パワーによりＯＮＵ２００に対して送信する。
このように、Ｄｉｓｃｏｖｅｒｙ  ＧＡＴＥフレームの光信号は、信号送信制御部１３２の制御により光信号出力パワーが設定されたうえで送信が行われる。
【００６７】
なお、図５の構成では、光送信部１０４が出力した光信号の出力パワーを光信号出力パワー変更部１０５により変更する構成としている。これに対して、例えば光送信部１０４にてＤｉｓｃｏｖｅｒｙ  ＧＡＴＥフレームのデータを光信号に変換する際の電圧制御によって光送信部１０４から出力される光信号の出力パワーを変更するように構成してもよい。このような構成の場合、光信号出力パワー変更部１０５としての機能が光送信部１０４に包含される。
【００６８】
続いて、図６のフローチャートを参照して、ＯＬＴ１００がＤｉｓｃｏｖｅｒｙ  ＧＡＴＥフレームの送信に関連して実行する処理手順例について説明する。
ＯＬＴ１００における信号送信制御部１３２は、Ｄｉｓｃｏｖｅｒｙ  ＧＡＴＥフレームを送信すべきタイミングに至るのを待機している（ステップＳ１０１−ＮＯ）。
【００６９】
Ｄｉｓｃｏｖｅｒｙ  ＧＡＴＥフレームを送信すべきタイミングに至るのに応じて（ステップＳ１０１−ＹＥＳ）、信号送信制御部１３２は、光信号出力パワーの段階に付された番号を示す変数ｉに１を代入する（ステップＳ１０２）。
【００７０】
信号送信制御部１３２は、第ｉ段階光信号出力パワーを光信号出力パワー変更部１０５に設定する（ステップＳ１０３）。
そのうえで、信号送信制御部１３２は、Ｄｉｓｃｏｖｅｒｙ  ＧＡＴＥフレームをＯＮＵ２００に対して送信する（ステップＳ１０４）。
つまり、信号送信制御部１３２は、登録要求送信制御信号生成部１３１が生成したＤｉｓｃｏｖｅｒｙ  ＧＡＴＥフレームを、光送信部１０４に出力する。光送信部１０４は、信号送信制御部１３２から入力したＤｉｓｃｏｖｅｒｙ  ＧＡＴＥフレームのデータを光信号に変換し、光信号出力パワー変更部１０５に出力する。光信号出力パワー変更部１０５は、ステップＳ１０３にて設定された第ｉ段階光信号出力パワーにより入力されたＤｉｓｃｏｖｅｒｙ  ＧＡＴＥフレームの光信号を波長合分波器１０１に出力する。
これにより、Ｄｉｓｃｏｖｅｒｙ  ＧＡＴＥフレームの光信号が第ｉ段階光信号出力パワーによりＯＮＵ２００側に対して送信される。
【００７１】
ステップＳ１０４により送信されたＤｉｓｃｏｖｅｒｙ  ＧＡＴＥフレームを受信した未登録のＯＮＵ２００は、ＯＬＴ１００に対してＲＥＧＩＳＴＥＲ＿ＲＥＱフレームを送信する。
同図において図示は省略しているが、通信制御部１０３は、ＯＮＵ２００から送信されたＲＥＧＩＳＴＥＲ＿ＲＥＱフレームの受信に応じて、図７のステップＳ３、Ｓ４、Ｓ５に対応する登録処理（ＬＬＩＤの設定及び通知、ＧＡＴＥフレームの送信、ＲＥＧＩＳＴＥＲ＿ＡＣＫの受信）を実行する。
【００７２】
ステップＳ１０４によるＤｉｓｃｏｖｅｒｙ  ＧＡＴＥフレームの送信を完了した後、信号送信制御部１３２は、変数ｉをインクリメントしたうえで（ステップＳ１０５）、変数ｉが最大値を越えているか否かについて判定する（ステップＳ１０６）。なお、図２に例示したように光信号出力パワーが４段階に定められている場合、変数ｉの最大値は４である。
【００７３】
変数ｉが最大値以下である場合（ステップＳ１０６−ＮＯ）、全ての段階の光信号出力パワーによるＤｉｓｃｏｖｅｒｙ  ＧＡＴＥフレームの送信が完了していない状態にある。そこで、この場合の信号送信制御部１３２は、ステップＳ１０３に戻ることにより、次の光信号出力パワーによるＤｉｓｃｏｖｅｒｙ  ＧＡＴＥフレームの送信を実行する。
そして、全ての段階の光信号出力パワーによるＤｉｓｃｏｖｅｒｙ  ＧＡＴＥフレームの送信が完了して変数ｉが最大値を越えるのに応じて（ステップＳ１０６−ＹＥＳ）、信号送信制御部１３２は、ステップＳ１０１に処理を戻す。
【００７４】
このような処理が実行されることにより、本実施形態のＯＬＴ１００は、１回のＯＮＵ２００の登録処理にあたり光信号出力パワーを段階的に大きくしていきながら、複数回にわたってＤｉｓｃｏｖｅｒｙ  ＧＡＴＥフレームを送信することができる。
これにより、各回のＤｉｓｃｏｖｅｒｙ  ＧＡＴＥフレームの送信に応じてＲＥＧＩＳＴＥＲ＿ＲＥＱフレームを送信してくる未登録のＯＮＵ２００数は、全ての未登録のＯＮＵ２００よりも少なくなる。この結果、ＲＥＧＩＳＴＥＲ＿ＲＥＱフレームの衝突が発生する頻度をより低減して通信性能を向上させることが可能になる。
【００７５】
また、このような構成では、ＯＬＴ側にて光信号出力パワーを変更してＤｉｓｃｏｖｅｒｙ  ＧＡＴＥフレームを送信しているだけであり、ＯＮＵ２００としては、Ｄｉｓｃｏｖｅｒｙ  ＧＡＴＥフレームの受信に応じて、標準の規格に従ってＲＥＧＩＳＴＥＲ＿ＲＥＱフレームを送信すればよい。つまり、本実施形態におけるＯＮＵ２００としては標準の規格に準拠したものをそのまま使用することができる。
【００７６】
なお、本実施形態の構成では、各ＯＮＵ２００において一時的にＯＬＴ１００からの信号を受信しない期間が生じる。即ち、各ＯＮＵ２００においては、一時的にＯＬＴ１００から受信した信号に基づいてＯＬＴと同期したクロックを生成できない時間が生じる。このような影響を抑制するには、例えば、ＯＮＵ２００ごとにバースト信号（断片化信号）への即時応答機能（信号バースト受信機能）を付与すればよい。あるいは、Ｄｉｓｃｏｖｅｒｙ  ＧＡＴＥフレームを受信できない時間長に応じて定めた所定時間内であれば自律的にクロックを維持できるようにした機能をＯＮＵ２００ごとに付与してもよい。
【００７７】
なお、上述した実施形態におけるＯＬＴ１００とＯＮＵ２００をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによってＯＬＴ１００とＯＮＵ２００の各動作を実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
以上、この発明の実施形態について図面を参照して詳述してきたが、具体的な構成はこの実施形態に限られるものではなく、この発明の要旨を逸脱しない範囲の設計等も含まれる。
【符号の説明】
【００７８】
１００  ＯＬＴ，  １０１  波長合分波器，  １０２  光受信部，  １０３  通信制御部，  １０４  光送信部，  １０５  光信号出力パワー変更部，  １３１  登録要求送信制御信号生成部，  １３２  信号送信制御部，  ２００  ＯＮＵ，  ３００  上位ネットワーク，  ４００  下位ネットワーク，  ５００  光通信路
【図１】
2015082779.tif 000003
【図２】
2015082779.tif 000004
【図３】
2015082779.tif 000005
【図４】
2015082779.tif 000006
【図５】
2015082779.tif 000007
【図６】
2015082779.tif 000008
【図７】
2015082779.tif 000009
【図８】
2015082779.tif 000010